(57)【特許請求の範囲】
【請求項１】
遊技盤面を有する略矩形板状の板部材と、前記遊技盤面に敷設され、遊技球が流下可能な遊技領域を区画する円弧状のレールと、前記遊技盤面の遊技領域に装着されるセンター役物とを備える遊技盤が取り付けられ、前記センター役物の外周部に前記遊技盤面に当接する台板が形成された遊技機であって、
前記遊技領域の上部における前記レールと前記センター役物との間の領域に、発射装置によって発射された遊技球が通過する遊技球通過経路が構成され、
前記台板は、
前記センター役物の外周部において少なくとも前記遊技球通過経路の入口部分に形成され、
裏面側が前記遊技盤面に接する台板本体と、
前記遊技球通過経路の上流側に位置し、前記遊技盤面に対して傾斜する第１傾斜面を有する第１テーパ部と、
前記第１テーパ部よりも前記遊技球通過経路の下流側に位置し、前記遊技盤面に対して傾斜する第２傾斜面を有する第２テーパ部と
を備え、
前記第２傾斜面と前記遊技盤面との接続部分が、前記第１傾斜面と前記遊技盤面との接続部分よりも緩やかに連続し、
前記第２テーパ部を垂直方向に切断したときに現われる斜辺の長さが前記第１テーパ部を垂直方向に切断したときに現われる斜辺の長さよりも長く設定され、
前記第２テーパ部の外周縁は、前記遊技球通過経路に沿った湾曲形状をなしている
ことを特徴とする遊技機。
【請求項２】
前記台板は、前記第１テーパ部と前記第２テーパ部との間に位置し、前記遊技盤面に対して傾斜する第３傾斜面を有する第３テーパ部を備え、
前記第３傾斜面と前記遊技盤面との接続部分が、前記第１傾斜面と前記遊技盤面との接続部分よりも緩やかに連続するとともに、前記第２傾斜面と前記遊技盤面との接続部分よりも急角度で連続し、
前記第３傾斜面は、前記第１傾斜面側から前記第２傾斜面側に行くに従って徐々になだらかになる
ことを特徴とする請求項１に記載の遊技機。
【請求項３】
前記台板に、ネジが挿通するネジ挿通孔が設けられ、
前記ネジ挿通孔は、前記台板本体において前記第１テーパ部の近傍に配置されており、
前記ネジ挿通孔を挿通した前記ネジは前記遊技盤に螺着される
ことを特徴とする請求項１または２に記載の遊技機。
【請求項４】
前記遊技盤は、前記遊技領域に植設され、前記遊技領域内を流下する遊技球の方向を変更する複数の遊技釘を備え、
前記複数の遊技釘は、前記第１テーパ部の側方であって前記第１テーパ部の縁部近傍の領域に植設され、発射装置によって発射された遊技球が前記第１傾斜面に直接衝突することを防止する衝突防止釘を含む
ことを特徴とする請求項１乃至３のいずれか１項に記載の遊技機。
【請求項５】
遊技盤面を有する略矩形板状の板部材と、前記遊技盤面に敷設され、遊技球が流下可能な遊技領域を区画する円弧状のレールと、前記遊技盤面の遊技領域に装着されるセンター役物とを備える遊技盤が取り付けられ、
前記遊技領域に、遊技球の入賞を契機として図柄変動を可能にする始動入賞装置と、遊技球が入賞可能な開放状態に切替可能な大入賞装置とが配設され、
前記大入賞装置の外周部に前記遊技盤面に当接する台板が形成された
遊技機であって、
前記遊技領域に、発射装置によって発射された遊技球を前記大入賞装置に導く大入賞口経路が構成され、
前記台板は、
前記大入賞装置の外周部において少なくとも前記大入賞口経路の終端部分に形成され、
裏面側が前記遊技盤面に接する台板本体と、
前記大入賞口経路の上流側に位置し、前記遊技盤面に対して傾斜する第１傾斜面を有する第１テーパ部と、
前記第１テーパ部よりも前記大入賞口経路の下流側に位置し、前記遊技盤面に対して傾斜する第２傾斜面を有する第２テーパ部と
を備え、
前記第２傾斜面と前記遊技盤面との接続部分が、前記第１傾斜面と前記遊技盤面との接続部分よりも緩やかに連続し、
前記第２テーパ部を垂直方向に切断したときに現われる斜辺の長さが前記第１テーパ部を垂直方向に切断したときに現われる斜辺の長さよりも長く設定され、
前記第２テーパ部の外周縁は、前記大入賞口経路に沿った湾曲形状をなしている
ことを特徴とする遊技機。
【発明の詳細な説明】
【技術分野】
【０００１】
本発明は、センター役物などを備える遊技盤が取り付けられた遊技機に関するものである。
【背景技術】
【０００２】
一般に、遊技機の一種であるパチンコ機は、遊技盤の遊技領域に複数の入賞装置を備えている。これらの入賞装置に遊技球が入賞した場合には、多数の賞球を獲得することができる機会が遊技者に付与されるようになっている。しかしながら、近年のパチンコ機は、図柄表示装置の表示領域が大型化される傾向にあるため、表示領域を露出させる開口部が設けられた枠状のセンター役物も大型化する傾向にある（例えば特許文献１参照）。また、近年、大当り遊技状態、変動時間短縮状態（いわゆる「時短」）、確率変動状態（いわゆる「確変」）などの遊技状態に移行したことを契機として、センター役物の右側にあるゲート、電動チューリップ（いわゆる「電チュー」）、大入賞装置などを狙って遊技球を発射（いわゆる右打ち）することにより、遊技を行う遊技機が多数提案されている。
【先行技術文献】
【特許文献】
【０００３】
【特許文献１】特開２０１１−１０４２９１号公報（図１，図２等）
【発明の概要】
【発明が解決しようとする課題】
【０００４】
ところで、一般的に、センター役物の外周部には、「台板」と呼ばれる遊技盤への固定構造が設けられている。この台板を貫通するネジ挿通孔にネジを挿通し、挿通したネジの先端部を遊技盤に螺着することにより、センター役物が遊技領域に装着される。
【０００５】
ところが、上記したように、センター役物は近年大型化する傾向にあり、これに伴って遊技盤に対する遊技領域の割合は小さくなる傾向にあるため、遊技盤への台板の取り付けが困難になる場合がある。詳述すると、センター役物を遊技盤に強固に固定するためには、台板を大型化し、台板と遊技盤面との接触面積を大きくすることが好ましい。しかし、台板を大型化すると、台板の存在によって遊技領域がより小さくなってしまうため、現状では、台板を小さく形成せざるを得ない。この場合、台板の強度、ひいては、センター役物の固定強度が低下してしまうため、大型化によって重くなったセンター役物を支えるためにも、台板を肉厚に形成するなどして強度を確保する必要がある。
【０００６】
しかしながら、台板を肉厚に形成すると、遊技盤面から手前側への台板の突出量が大きくなってしまう。また、特に遊技球を右打ちする場合には、操作ハンドルを右に回すことによって遊技球が高速で打ち出されるため、発射速度が大変速い状態にある。従って、センター役物の上側にある遊技球通過経路の入口部分の台板に対して、遊技領域に発射された遊技球が強い勢いで衝突する可能性があるため、台板が破損したり、遊技球が手前側に跳ね上げられるなどして遊技球の動きに悪影響を及ぼしたりするおそれがある。また、遊技球通過経路を流れる遊技球のスピードが低下するおそれもある。
【０００７】
本発明は上記の課題に鑑みてなされたものであり、その目的は、台板の強度低下を防止しつつ、遊技球の動きに悪影響を与えることを防止できる遊技機を提供することにある。
【課題を解決するための手段】
【０００８】
上記の課題を解決するために、請求項１（手段１）に記載の発明は、遊技盤面を有する略矩形板状の板部材と、前記遊技盤面に敷設され、遊技球が流下可能な遊技領域を区画する円弧状のレールと、前記遊技盤面の遊技領域に装着されるセンター役物とを備える遊技盤が取り付けられ、前記センター役物の外周部に前記遊技盤面に当接する台板が形成された遊技機であって、前記遊技領域の上部における前記レールと前記センター役物との間の領域に、発射装置によって発射された遊技球が通過する遊技球通過経路が構成され、前記台板は、前記センター役物の外周部において少なくとも前記遊技球通過経路の入口部分に形成され、裏面側が前記遊技盤面に接する台板本体と、前記遊技球通過経路の上流側に位置し、前記遊技盤面に対して傾斜する第１傾斜面を有する第１テーパ部と、前記第１テーパ部よりも前記遊技球通過経路の下流側に位置し、前記遊技盤面に対して傾斜する第２傾斜面を有する第２テーパ部とを備え、前記第２傾斜面と前記遊技盤面との接続部分が、前記第１傾斜面と前記遊技盤面との接続部分よりも緩やかに連続し、前記第２テーパ部を垂直方向に切断したときに現われる斜辺の長さが前記第１テーパ部を垂直方向に切断したときに現われる斜辺の長さよりも長く設定され、前記第２テーパ部の外周縁は、前記遊技球通過経路に沿った湾曲形状をなしていることを特徴とする遊技機をその要旨とする。
【０００９】
従って、請求項１に記載の発明によると、第２傾斜面と遊技盤面との接続部分が、第１傾斜面と遊技盤面との接続部分よりも緩やかに連続している。その結果、第２傾斜面上を通過する遊技球の動きがスムーズになるため、遊技球の動きに悪影響を与えることを防止できる。
【００１０】
また、第２テーパ部は、第１テーパ部よりも斜辺が長いことから、肉薄な領域が大きくなるため、第１テーパ部よりも強度が低くなる。しかし、第２テーパ部は、第１テーパ部よりも遊技球通過経路の下流側に位置しているため、第１テーパ部よりも遊技球が衝突する可能性が小さくなる。具体的に言うと、遊技球の勢いが最も強いままの状態、即ち、他の部材との衝突による遊技球の勢いの低下がないままの状態で、第２テーパ部に遊技球が衝突する可能性が小さくなる。以上のことから、強度が低い第２テーパ部を台板が備えていたとしても、台板の強度低下を防止することができる。しかも、第２テーパ部の外周縁が遊技球通過経路に沿った湾曲形状をなすことにより、遊技球の衝突時の衝撃が集中しにくくなるため、遊技球の衝突時の衝撃に伴う第２テーパ部の破損を防止することができる。
【００１１】
なお、板部材は、着色された材料によって形成されていてもよいし、無色透明の材料によって形成されていてもよい。仮に、板部材を着色された材料によって形成すれば、板部材を装飾性を有する部材として用いることができる。一方、板部材を無色透明の樹脂材料によって形成すれば、板部材の裏側に図柄表示装置を配置した場合に、図柄表示装置の表示画面が板部材を介して視認可能となる。
【００１２】
また、台板を形成する材料としては特に限定されないが、例えば樹脂材料や金属材料を挙げることができる。なお、台板を樹脂材料の射出成形によって形成するようにすれば、台板を容易に形成することができる。台板を形成する樹脂材料の好適例としては、ＡＢＳ樹脂、ＰＰ樹脂（ポリプロピレン樹脂）、ＰＣ／ＡＢＳ樹脂、ＰＣ樹脂（ポリカーボネート樹脂）、ＰＭＭＡ樹脂（アクリル樹脂）、ＰＯＭ樹脂（ポリアセタール樹脂）、ＰＢＴ樹脂（ポリブチレンテレフタレート樹脂）、ＰＥＴ樹脂（ポリエチレンテレフタレート樹脂）などが挙げられる。また、ポリテトラフルオロエチレン（ＰＴＦＥ）のようなフッ素系樹脂材料であってもよい。さらに、台板を形成する金属材料としては、例えば、アルミニウムや鉄などが挙げられる。なお、台板は、センター役物と一体形成されていてもよいし、センター役物とは別体に形成されていてもよい。
【００１３】
請求項２（手段２）に記載の発明は、請求項１において、前記台板は、前記第１テーパ部と前記第２テーパ部との間に位置し、前記遊技盤面に対して傾斜する第３傾斜面を有する第３テーパ部を備え、前記第３傾斜面と前記遊技盤面との接続部分が、前記第１傾斜面と前記遊技盤面との接続部分よりも緩やかに連続するとともに、前記第２傾斜面と前記遊技盤面との接続部分よりも急角度で連続し、前記第３傾斜面は、前記第１傾斜面側から前記第２傾斜面側に行くに従って徐々になだらかになることをその要旨とする。
【００１４】
従って、請求項２に記載の発明によると、第３テーパ部の第３傾斜面は、第１テーパ部の第１傾斜面側から第２テーパ部の第２傾斜面側に行くに従って徐々になだらかになるため、第１傾斜面及び第２傾斜面を第３傾斜面を介して緩やかに接続することができる。その結果、台板上を通過する遊技球の動きがよりいっそうスムーズになるため、遊技球の動きに悪影響を与えることをより確実に防止できる。
【００１５】
請求項３（手段３）に記載の発明は、請求項１または２において、前記台板に、ネジが挿通するネジ挿通孔が設けられ、前記ネジ挿通孔は、前記台板本体において前記第１テーパ部の近傍に配置されており、前記ネジ挿通孔を挿通した前記ネジは前記遊技盤に螺着されることをその要旨とする。
【００１６】
従って、請求項３に記載の発明によると、ネジ挿通孔がテーパ部よりも強度の高い台板本体に設けられているため、ネジ挿通孔を設けたとしても、台板の強度低下を防止することができる。また、ネジ挿通孔が、第２テーパ部よりも遊技球が通過する可能性が低い第１テーパ部の近傍に配置されている。その結果、ネジ挿通孔に挿通されたネジによって遊技球の動きが乱される可能性が小さくなる。
【００１７】
請求項４（手段４）に記載の発明は、請求項１乃至３のいずれか１項において、前記遊技盤は、前記遊技領域に植設され、前記遊技領域内を流下する遊技球の方向を変更する複数の遊技釘を備え、前記複数の遊技釘は、前記第１テーパ部の側方であって前記第１テーパ部の縁部近傍の領域に植設され、発射装置によって発射された遊技球が前記第１傾斜面に直接衝突することを防止する衝突防止釘を含むことをその要旨とする。
【００１８】
従って、請求項４に記載の発明によると、第１テーパ部の側方であって第１テーパ部の縁部近傍の領域に衝突防止釘が植設されているため、第１テーパ部に遊技球が強い勢いで衝突することを防止できる。しかも、発射装置によって発射された遊技球は、衝突防止釘に衝突することによって勢いが弱められるため、遊技球が台板に衝突した際に台板にかかる負担を軽減することができる。ゆえに、衝突時の衝撃に伴う台板の破損を防止でき、さらには、遊技球の動きに与える悪影響も小さくすることができる。ここで、「遊技球が前記第１傾斜面に直接衝突する」とは、遊技球の勢いが最も強いままの状態、即ち、他の部材との衝突による遊技球の勢いの低下がないままの状態で、第１傾斜面（第１テーパ部）に遊技球が衝突することをいう。
【００１９】
請求項５（手段５）に記載の発明は、遊技盤面を有する略矩形板状の板部材と、前記遊技盤面に敷設され、遊技球が流下可能な遊技領域を区画する円弧状のレールと、前記遊技盤面の遊技領域に装着されるセンター役物とを備える遊技盤が取り付けられ、前記遊技領域に、遊技球の入賞を契機として図柄変動を可能にする始動入賞装置と、遊技球が入賞可能な開放状態に切替可能な大入賞装置とが配設され、前記大入賞装置の外周部に前記遊技盤面に当接する台板が形成された遊技機であって、前記遊技領域に、発射装置によって発射された遊技球を前記大入賞装置に導く大入賞口経路が構成され、前記台板は、前記大入賞装置の外周部において少なくとも前記大入賞口経路の終端部分に形成され、裏面側が前記遊技盤面に接する台板本体と、前記大入賞口経路の上流側に位置し、前記遊技盤面に対して傾斜する第１傾斜面を有する第１テーパ部と、前記第１テーパ部よりも前記大入賞口経路の下流側に位置し、前記遊技盤面に対して傾斜する第２傾斜面を有する第２テーパ部とを備え、前記第２傾斜面と前記遊技盤面との接続部分が、前記第１傾斜面と前記遊技盤面との接続部分よりも緩やかに連続し、前記第２テーパ部を垂直方向に切断したときに現われる斜辺の長さが前記第１テーパ部を垂直方向に切断したときに現われる斜辺の長さよりも長く設定され、前記第２テーパ部の外周縁は、前記大入賞口経路に沿った湾曲形状をなしていることを特徴とする遊技機をその要旨とする。
【００２０】
従って、請求項５に記載の発明によると、第２傾斜面と遊技盤面との接続部分が、第１傾斜面と遊技盤面との接続部分よりも緩やかに連続している。その結果、第２傾斜面上を通過する遊技球の動きがスムーズになるため、遊技球の動きに悪影響を与えることを防止できる。
【００２１】
また、第２テーパ部は、第１テーパ部よりも斜辺が長いことから、肉薄な領域が大きくなるため、第１テーパ部よりも強度が低くなる。しかし、第２テーパ部は、第１テーパ部よりも大入賞口経路の下流側に位置しているため、第１テーパ部よりも遊技球が衝突する可能性が小さくなる。以上のことから、強度が低い第２テーパ部を台板が備えていたとしても、台板の強度低下を防止することができる。しかも、第２テーパ部の外周縁が大入賞口経路に沿った湾曲形状をなすことにより、遊技球の衝突時の衝撃が集中しにくくなるため、遊技球の衝突時の衝撃に伴う第２テーパ部の破損を防止することができる。
【発明の効果】
【００２２】
以上詳述したように、請求項１〜５に記載の発明によれば、台板の強度低下を防止しつつ、遊技球の動きに悪影響を与えることを防止できる遊技機を提供することができる。特に、請求項２に記載の発明によれば、台板上を通過する遊技球の動きがよりいっそうスムーズになるため、遊技球の動きに悪影響を与えることをより確実に防止できる。
【図面の簡単な説明】
【００２３】
【図１】本発明におけるパチンコ機を示す正面図。
【図２】遊技盤を示す正面図。
【図３】センター役物を正面側から見たときの状態を示す斜視図。
【図４】センター役物を背面側から見たときの状態を示す斜視図。
【図５】センター役物を示す分解斜視図。
【図６】遊技盤の一部を示す要部正面図。
【図７】遊技盤の一部を示す要部斜視図。
【図８】図６のＡ−Ａ線断面図。
【図９】図６のＢ−Ｂ線断面図。
【図１０】図６のＣ−Ｃ線断面図。
【発明を実施するための形態】
【００２４】
以下、本発明の遊技機をパチンコ機１０に具体化した一実施形態を図面に基づき説明する。
【００２５】
（１）パチンコ機１０全体の概略構成
図１には、パチンコ機１０の機表側が略示されている。このパチンコ機１０は、機体の外郭をなす縦長方形状の外枠１１を備えている。外枠１１の開口前面側には、機体を構成する縦長方形状の中枠１２が、開閉及び着脱自在に組み付けられている。また、中枠１２の前面側には、前枠１４が横開き状態で開閉可能に組み付けられている。前枠１４は、中央部に窓口１４ａを有するとともに、窓口１４ａの下方に上球皿１５が一体的に組み付けられた構造を有している。前枠１４の裏面側には、機内部に配置された遊技盤１３を透視保護するためのガラス（図示略）が組み付けられている。
【００２６】
また、前枠１４の前面には、上側枠ランプ１６ａ、左側枠ランプ１６ｂ及び右側枠ランプ１６ｃが設けられている。各枠ランプ１６ａ〜１６ｃは、図示しない発光体（発光ダイオードなど）を備え、同発光体にレンズ部材を覆い被せて構成されている。これらの枠ランプ１６ａ〜１６ｃでは、パチンコ機１０の各種遊技の演出態様（大当り、リーチなど）に応じて点灯（点滅）・消灯などの発光装飾が行われるようになっている。
【００２７】
図１に示されるように、前枠１４の左上部には左スピーカ１７ａが配設され、前枠１４の右上部には右スピーカ１７ｂが配設されている。左スピーカ１７ａ及び右スピーカ１７ｂは、各種音声を出力して音声演出を行うためのものである。左スピーカ１７ａ及び右スピーカ１７ｂは前枠１４の裏面側に装着され、前枠１４の前面側において左スピーカ１７ａ及び右スピーカ１７ｂと対応する箇所には複数の放音孔（図示略）が形成されている。
【００２８】
さらに、中枠１２の前面側において前枠１４の下方には、下球皿１８が開閉可能に組み付けられている。下球皿１８の右方には、発射装置（図示略）から遊技球Ａ１（図６参照）を発射する際に遊技者によって回動操作される操作ハンドル１９が装着されている。また、下球皿１８の左方には、各種音声を出力して音声演出を行う下スピーカ１７ｃが配設されている。なお、下スピーカ１７ｃは中枠１２に装着されている。
【００２９】
（２）遊技盤１３の構成
図２に示されるように、遊技盤１３は、パチンコ機１０に取り付けられており、板部材３１と、板部材３１の背面に重ねて配置された裏ユニット（図示略）とを備えている。板部材３１及び裏ユニットは、複数のネジ（図示略）によって互いに固定されている。板部材３１は、ベニヤ板などの木製基板の表面に樹脂製のセルを貼付することによって略矩形板状に形成されている。なお、板部材３１は、アクリル樹脂などの樹脂材料の射出成形によって略矩形板状に形成されたものであってもよい。そして、板部材３１の略中央部には、開口部３１ａ（図８〜図１０参照）が貫通形成され、開口部３１ａには、同開口部３１ａの内側面から中央部側に向かって延びる張出部３１ｂ（図８参照）が設けられている。また、板部材３１の後側には、図柄表示装置（図示略）が着脱自在に取り付けられるようになっており、開口部３１ａは、図柄表示装置の表示画面を露出させるべく、表示画面の大きさに対応して形成されている。なお、本実施形態の図柄表示装置は液晶式であるが、ドットマトリクス式、エレクトロルミネッセンス素子式、７セグメント式の図柄表示装置であってもよい。図柄表示装置では、変動画像（または画像表示）に基づく遊技演出（表示演出）が行われるようになっている。そして、図柄表示装置では、表示演出に関連して、複数種類の図柄を３列で変動させて図柄組み合わせを導出させる図柄変動ゲームが表示されるようになっている。
【００３０】
図１，図２等に示されるように、板部材３１の遊技盤面１３ａには、遊技球Ａ１が流下可能な遊技領域３２ａを区画する円弧状の内レール３３ａ及び外レール３３ｂが敷設されている。内レール３３ａと外レール３３ｂとの間に生じる発射経路には、操作ハンドル１９を操作した際に発射された遊技球Ａ１が通過するようになっている。そして、発射経路を通過した遊技球Ａ１は、発射経路の終端部から遊技領域３２ａに進入し、遊技領域３２ａ内を流下するようになっている。
【００３１】
さらに、遊技盤面１３ａの略中央部には、開口部５０ａを有する枠状のセンター役物５０が装着されている。センター役物５０は、図柄表示装置を装飾するための部材である。また、開口部５０ａは、図柄表示装置の表示画面を露出させるべく、表示画面の大きさに対応して形成されている。
【００３２】
図１，図２に示されるように、遊技盤面１３ａ上におけるセンター役物５０の下方位置には、始動入賞口５１ａが形成された始動入賞装置５１が配設されている。なお、始動入賞装置５１への遊技球Ａ１の入賞を契機として図柄表示装置による図柄変動ゲームが開始されると、所定数（本実施形態では３個）の賞球の払い出しが行われるようになっている。
【００３３】
また、遊技盤面１３ａ上における始動入賞装置５１の下方には、図示しないソレノイドにより開閉動作を行う大入賞口扉５２ａを備えた大入賞装置５２が配設されている。大入賞装置５２では、大入賞口への遊技球Ａ１の入賞を契機として、所定数（本実施形態では１５個）の賞球の払い出しが行われるようになっている。さらに、遊技盤面１３ａ上におけるセンター役物５０の左側には、遊技球Ａ１の通過を検知する機能を有するゲート５３が設けられている。ゲート５３は、上下方向に開口しており、遊技領域３２ａ内を流下する遊技球Ａ１が上方から通過可能になっている。
【００３４】
図１，図２に示されるように、遊技盤面１３ａにおいて始動入賞装置５１の左方には、左下外普通入賞装置５８ａ、左下中普通入賞装置５８ｂ及び左下内普通入賞装置５８ｃが配設されている。各普通入賞装置５８ａ〜５８ｄは、遊技球Ａ１が常時入賞可能となっており、互いに連なった状態に配置されている。さらに、遊技盤面１３ａにおいて始動入賞装置５１の右上方には、右普通入賞装置５８ｄが配設されている。右普通入賞装置５８ｄには遊技球Ａ１が常時入賞可能となっている。なお、各普通入賞装置５８ａ〜５８ｄでは、遊技球Ａ１の入賞を契機として、所定数（本実施形態では１０個）の賞球の払い出しが行われるようになっている。
【００３５】
また、遊技領域３２ａ内には風車３４が配設され、遊技領域３２ａの略全域には複数の遊技釘３５が植設されている。風車３４及び遊技釘３５は、遊技領域３２ａ内を流下する遊技球Ａ１の方向を変更するとともに、各入賞装置５１，５２，５８ａ〜５８ｃに向けて遊技球Ａ１を誘導可能となっている。また、遊技領域３２ａの最下部（内レール３３ａの下端部）には、いずれの入賞装置５１，５２，５８ａ〜５８ｃにも入賞しなかった遊技球Ａ１を回収するためのアウト口５７が配置されている。
【００３６】
図２に示されるように、遊技盤１３は、遊技盤面１３ａの非遊技領域３２ｂに装着された飾り部材９１，９２，９３を備えている。各飾り部材９１〜９３は、透光性樹脂（本実施形態ではポリカーボネート樹脂）の射出成形によって形成されている。第１飾り部材９１は、遊技盤面１３ａの右端部全体に配設されている。また、第２飾り部材９２は遊技盤面１３ａの左上部に配設され、第３飾り部材９３は遊技盤面１３ａの左下部に配設されている。なお、第１飾り部材９１の内側面は湾曲形成され、内側面の下端はアウト口５７に接続されている。即ち、第１飾り部材９１は、遊技球をアウト口５７に導くレールとしての機能を有している。また、第２飾り部材９２及び第３飾り部材９３の内側面は、外レール３３ｂの外面に沿うよう湾曲形成されている。
【００３７】
さらに、図１，図２，図６〜図１０に示されるように、遊技領域３２ａの上部であって、外レール３３ｂと上記したセンター役物５０との間の領域には、発射装置によって発射された遊技球Ａ１が通過する遊技球通過経路８１の上流部分が構成されている。そして、遊技球通過経路８１の下流部分は、第１飾り部材９１とセンター役物５０との間の領域に構成されている。また、遊技球通過経路８１の入口部分は、遊技領域３２ａに植設された遊技釘３５のうち最も上方にある遊技釘３５ａよりも上方に位置している。一方、遊技球通過経路８１の出口部分は、遊技球通過経路８１の下流部分の下端部に位置している。よって、本実施形態の遊技球通過経路８１では、入口部分が上流となり、出口部分が下流となる。
【００３８】
（３）センター役物５０の構成
図１〜図１０に示されるように、センター役物５０は、樹脂材料（例えば、黒色に着色した透光性を有するＡＢＳ樹脂等）の射出成形によって形成されている。センター役物５０の下部には、遊技領域３２ａから導入された遊技球Ａ１が転動するステージ７１が設けられている。センター役物５０の左下部には、遊技領域３２からステージ７１に遊技球Ａ１を誘導するワープ通路７２が設けられている。また、ワープ通路７２の左上方には、遊技領域３２ａ内を流下する遊技球Ａ１が通過するワープ入口７３が設けられている。ワープ通路７２は、略筒状をなす通路部材７４によって構成されている。通路部材７４は、上流側端部がワープ入口７３内に連通するとともに、下流側端部がステージ７１において開口している。また、開口部５０ａの下側部分は、ステージ７１の後壁７７によって塞がれている。
【００３９】
さらに、センター役物５０の右側部（図４では左側部）には、右側装飾部材７５が取り付けられている。右側装飾部材７５は、センター役物５０の右側部の大部分を覆っており、下端部がステージ７１に当接するようになっている。また、右側装飾部材７５は、開口部５０ａの開口方向に沿って裏ユニット４１側に延びている。なお、右側装飾部材７５は、樹脂材料（例えば、黒色に着色したＡＢＳ樹脂等）の射出成形によって形成されている。そして、右側装飾部材７５の表面全体には、鏡面処理が施されるとともに、光拡散処理（本実施形態では波模様）が施されている。
【００４０】
図１〜図５に示されるように、センター役物５０の左側部（図４では右側部）には、左側装飾部材７８が取り付けられている。左側装飾部材７８は、センター役物５０の左側部の大部分を覆っており、左側に凸となる湾曲形状をなしている。さらに、左側装飾部材７８は、板部材３１の厚さ方向に沿って裏ユニット側に延びており、発光面が遊技盤面１３ａに対して略垂直に配置されている。なお、左側装飾部材７８は、樹脂材料（例えば、赤色に着色した透光性を有するＡＢＳ樹脂等）の射出成形によって形成されている。そして、左側装飾部材７８の表面全体には、光拡散処理（本実施形態では波模様）が施されている。
【００４１】
（３−１）台板６０の構成
図１〜図１０に示されるように、センター役物５０の外周部には、遊技盤１３への取り付けの際に遊技盤面１３ａに当接する台板６０が形成されている。台板６０は、センター役物５０の外周部において上側部（遊技球通過経路８１の入口部分を含む）や右側部に形成されている。また、台板６０は、樹脂材料（例えば、黒色に着色した透光性を有するＡＢＳ樹脂等）の射出成形によって形成されている。
【００４２】
図６〜図１０等に示されるように、台板６０は、台板本体６１、第１テーパ部６２、第２テーパ部６３及び第３テーパ部６４を備えている。台板本体６１は、裏面６１ａの外周側が遊技盤面１３ａに接するとともに、裏面６１ａの内周側が板部材３１の開口部３１ａを臨むように配置されている。また、台板本体６１の前面には、壁部６１ｂ（図３〜図５参照）が開口部３１ａを包囲するように突設されている。なお、台板本体６１の厚さは、２．０ｍｍ以上３．０ｍｍ未満（本実施形態では２．０ｍｍ）に設定されている。また、台板本体６１において第１テーパ部６２の近傍には、ネジ挿通孔６５（図２，図３，図６〜図８参照）が設けられている。なお、ネジ挿通孔６５にネジ（図示略）を挿通し、挿通したネジの先端部を板部材３１の張出部３１ｂ（図８参照）に螺着させる。また、台板本体６１に設けられた複数のネジ挿通孔６６（図２，図３参照）にネジを挿通し、挿通したネジの先端部を板部材３１に螺着させる。その結果、台板６０を備えたセンター役物５０が遊技盤１３に固定される。なお、ネジ挿通孔６５，６６は、テーパ部６２〜６４ではなく、遊技盤面１３ａと平行な平面である台板本体６１の前面において開口している。
【００４３】
図６〜図８に示されるように、第１テーパ部６２は、遊技球通過経路８１の上流側に位置し、遊技盤面１３ａに対して傾斜する平面である第１傾斜面６２ａを有している。第１テーパ部６２を垂直方向に切断したときに現われる斜辺６２ｂ（図８参照）の長さは、本実施形態では２．０ｍｍに設定されている。また、第１テーパ部６２を垂直方向に切断したときに現われる、遊技盤面１３ａに対して垂直な辺６２ｃ（図８参照）の長さ、即ち、第１テーパ部６２において最も肉薄な部分の厚さは、本実施形態では０．５ｍｍに設定されている。なお、斜辺６２ｂが現われる第１傾斜面６２ａと辺６２ｃが現われる先端面との境界部分は、曲面状の面取り部６２ｄ（図８参照）を介して接続されている。そして、遊技盤面１３ａに対する第１傾斜面６２ａの傾斜角度θ１（図８参照）は、３０°以上７０°以下（本実施形態では４９°）に設定されている。
【００４４】
図６，図７，図１０に示されるように、第２テーパ部６３は、第１テーパ部６２よりも遊技球通過経路８１の下流側に位置し、遊技盤面１３ａに対して傾斜する平面である第２傾斜面６３ａを有している。第２テーパ部６３の外周縁は、遊技球通過経路８１側に凸となる湾曲形状をなしている。第２テーパ部６３を垂直方向に切断したときに現われる斜辺６３ｂ（図１０参照）の長さは、第１テーパ部６２を垂直方向に切断したときに現われる斜辺６２ｂの長さ（２．０ｍｍ）よりも長く、５．０ｍｍ以上１０．０ｍｍ以下（本実施形態では５．０ｍｍ）に設定されている。また、第２テーパ部６３を垂直方向に切断したときに現われる、遊技盤面１３ａに対して垂直な辺６３ｃ（図１０参照）の長さ、即ち、第２テーパ部６３において最も肉薄な部分の厚さは、本実施形態では０．５ｍｍに設定されている。なお、斜辺６３ｂが現われる第２傾斜面６３ａと辺６３ｃが現われる先端面との境界部分は、曲面状の面取り部６３ｄ（図１０参照）を介して接続されている。そして、第２傾斜面６３ａと遊技盤面１３ａとの接続部分は、第１傾斜面６２ａと遊技盤面１３ａとの接続部分よりも緩やかに連続している。換言すると、遊技盤面１３ａに対する第２傾斜面６３ａの傾斜角度θ２（図１０参照）は、遊技盤面１３ａに対する第１傾斜面６２ａの傾斜角度θ１よりも小さく、１°以上２９°以下（本実施形態では１７°）に設定されている。
【００４５】
図６，図７，図９に示されるように、第３テーパ部６４は、第１テーパ部６２と第２テーパ部６３との間に位置し、遊技盤面１３ａに対して傾斜する平面である第３傾斜面６４ａを有している。第３傾斜面６４ａは、第１テーパ部６２の第１傾斜面６２ａと第２テーパ部６３の第２傾斜面６３ａとをつなぐ傾斜面である。第３テーパ部６４を垂直方向に切断したときに現われる斜辺６４ｂ（図９参照）の長さは、第１テーパ部６２側から第２テーパ部６３側に行くに従って徐々に長くなっている。本実施形態における斜辺６４ｂの長さは、第１テーパ部６２との接続部分において２．０ｍｍに設定され、第２テーパ部６３との接続部分において５．０ｍｍに設定されている。また、第３テーパ部６４を垂直方向に切断したときに現われる、遊技盤面１３ａに対して垂直な辺６４ｃ（図９参照）の長さ、即ち、第３テーパ部６４において最も肉薄な部分の厚さは、本実施形態では０．５ｍｍに設定されている。なお、斜辺６４ｂが現われる第３傾斜面６４ａと辺６４ｃが現われる先端面との境界部分は、曲面状の面取り部６４ｄ（図９参照）を介して接続されている。そして、第３傾斜面６４ａと遊技盤面１３ａとの接続部分は、第１傾斜面６２ａと遊技盤面１３ａとの接続部分よりも緩やかに連続するとともに、第２傾斜面６３ａと遊技盤面１３ａとの接続部分よりも急角度で連続している。第３傾斜面６４ａは、第１傾斜面６２ａ側から第２傾斜面６３ａ側に行くに従って徐々になだらかになっている。換言すると、遊技盤面１３ａに対する第３傾斜面６４ａの傾斜角度θ３（図９参照）は、遊技盤面１３ａに対する第１傾斜面６２ａの傾斜角度θ１以下であって、遊技盤面１３ａに対する第２傾斜面６３ａの傾斜角度θ２以上であり、１°以上７０°以下（本実施形態では１７°以上４９°以下）に設定されている。そして、傾斜角度θ３は、第１傾斜面６２ａ側から第２傾斜面６３ａ側に行くに従って徐々に小さくなっている。
【００４６】
なお、図６，図７に示されるように、台板本体６１において第２テーパ部６３よりも遊技球通過経路８１の下流側にも、テーパ部（第４テーパ部６７）が設けられている。第４テーパ部６７は、遊技盤面１３ａに対して傾斜する第４傾斜面６７ａを有している。遊技盤面１３ａに対する第４傾斜面６７ａの傾斜角度は、遊技盤面１３ａに対する第１傾斜面６２ａの傾斜角度θ１（４９°）と同じ傾斜角度に設定されている。なお、台板本体６１における第４テーパ部６７の近傍にはネジ挿通孔６６が配置されている。
【００４７】
（４）衝突防止釘３６の構成
図１，図２，図６〜図９に示されるように、遊技領域３２に植設された遊技釘３５には、３本の衝突防止釘３６が含まれている。各衝突防止釘３６のうち最上部にある衝突防止釘３６は、遊技領域３２に植設された遊技釘３５のうち最も上方にある遊技釘３５ａと同じ遊技釘である。なお、台板本体６１における第１テーパ部６２の近傍は、ネジ挿通孔６５が配置されているために強度が低い。しかも、第１テーパ部６２の近傍には、ネジ挿通孔６５を挿通したネジを板部材３１に螺着させる際に、大きな力が加わるようになる。このため、第１テーパ部６２に遊技球Ａ１が直接衝突すると第１テーパ部６２にクラックが入りやすい。そこで、本実施形態では、衝突防止釘３６により、発射装置によって発射された遊技球Ａ１が他の部材（遊技釘３５など）に接触せずに第１テーパ部６２（第１傾斜面６２ａ）に直接衝突することを防止するようにしている。つまり、衝突防止釘３６は、遊技球Ａ１の勢いが最も強いままの状態、即ち、他の部材との衝突による遊技球Ａ１の勢いの低下がないままの状態で、第１テーパ部６２に遊技球Ａ１が衝突する可能性を小さくするようになっている。また、各衝突防止釘３６は、第１テーパ部６２及び第３テーパ部６４の外周縁に沿って配置され、隣接する衝突防止釘３６の軸部同士の間隔は、遊技球Ａ１の直径（１１．０ｍｍ）よりも小さくなっている。また、各衝突防止釘３６の軸部の外周面と台板６０の壁部６１ｂの外周面との距離は、遊技球Ａ１の直径よりも大きく、具体的には１２ｍｍ以上２０ｍｍ以下（本実施形態では１５ｍｍ）に設定されている。即ち、各衝突防止釘３６の軸部の外周面と台板６０の壁部６１ｂの外周面との距離は、少なくとも１個の遊技球Ａ１がスムーズに通過することが可能な大きさに設定されている。そして、各衝突防止釘３６のうち上側２つの衝突防止釘３６は、第３テーパ部６４の側方であって第３テーパ部６４の縁部近傍の領域に植設され、軸部の外周面と第３テーパ部６４の外周縁との距離が１．０ｍｍ以上５．０ｍｍ以下（本実施形態では１．０ｍｍ）に設定されている。また、各衝突防止釘３６のうち残り１つの衝突防止釘３６は、第１テーパ部６２の側方であって第１テーパ部６２の縁部近傍の領域に植設され、軸部の外周面と第１テーパ部６２の外周縁との距離が１．０ｍｍ以上５．０ｍｍ以下（本実施形態では１．０ｍｍ）に設定されている。即ち、各衝突防止釘３６は、テーパ部６２，６４から所定距離だけ離間した状態で、テーパ部６２，６４とネジ挿通孔６５の周辺とを覆うように配置されている。
【００４８】
次に、遊技の手順を説明する。
【００４９】
（Ａ−１）まず、遊技者は、始動入賞装置５１を狙うために、遊技球Ａ１を第１ルートＲ１（図２参照）に向けて発射（いわゆる左打ち）する。そして、遊技球Ａ１が始動入賞装置５１に入賞すると、図柄を変動させる図柄変動ゲームが開始される。
【００５０】
（Ａ−２）図柄変動ゲームの終了後、特定の条件（大当り遊技状態、確率変動状態、変動時間短縮状態など）が付与されると、遊技者は、遊技球Ａ１を第２ルートＲ２（図２参照）に向けて発射（いわゆる右打ち）する。この場合、遊技者は、操作ハンドル１９を右に回すことによって遊技球Ａ１を高速で打ち出されるため、遊技球Ａ１の発射速度が大変速く、威力が強い。よって、発射装置によって発射されて遊技領域３２ａに進入した遊技球Ａ１は、強い勢いを維持したままセンター役物５０の上部中央付近に到達する。そして、遊技球Ａ１は、台板６０の第２テーパ部６３の第２傾斜面６３ａ上を通過し、遊技球通過経路８１内に進入する（図６の矢印Ｆ１参照）。
【００５１】
また、発射装置によって発射されて遊技領域３２ａに進入した遊技球Ａ１が、最も強い勢いを維持したままの状態、即ち、他の部材（遊技釘３５など）との衝突による遊技球Ａ１の勢いの低下がないままの状態で、第１テーパ部６２側に誘導されることがある。この場合、遊技球Ａ１は、衝突防止釘３６に衝突することによって向きが変更され、遊技球通過経路８１の入口側に誘導されるため、第１テーパ部６２への遊技球Ａ１の衝突が防止される。そして、遊技球Ａ１は、第２テーパ部６３の第２傾斜面６３ａ上を転動して入口から遊技球通過経路８１内に進入する（図６の矢印Ｆ２参照）。
【００５２】
（Ａ−３）その後、遊技球Ａ１は、遊技球通過経路８１内を移動し、遊技球通過経路８１の出口からセンター役物５０の右下側に導かれる。そして、遊技球Ａ１が大入賞装置５２に入賞すると、賞球の払い出しが行われるようになる。
【００５３】
従って、本実施形態によれば以下のような効果を得ることができる。
【００５４】
（１）本実施形態では、遊技球Ａ１を右打ちする場合に、遊技球通過経路８１の入口部分の台板６０に対して、遊技球Ａ１が強い勢いで衝突することを想定している。例えば、第１テーパ部６２の第１傾斜面６２ａのような傾斜角度が大きい部分に遊技球Ａ１が衝突すると、台板６０に強い衝撃が加わって破損したり、遊技球Ａ１が手前側に跳ね上げられるなどして遊技球Ａ１の動きに悪影響を及ぼしたりするおそれがある。なお、遊技球通過経路８１の入口は発射経路の終端部に比較的近いため、台板６０に遊技球Ａ１が強い勢いで衝突する可能性が高い。
【００５５】
そこで、本実施形態のパチンコ機１０では、遊技球通過経路８１の入口部分の台板６０にテーパ部６２〜６４を設け、第２傾斜面６３ａと遊技盤面１３ａとの接続部分を、第１傾斜面６２ａと遊技盤面１３ａとの接続部分よりも緩やかに連続させている。その結果、台板６０に衝突した遊技球Ａ１の勢いが緩やかな第２傾斜面６３ａによって受け流されるため、遊技球Ａ１は、第２傾斜面６３ａ上をスムーズに通過するようになる。ゆえに、台板６０が遊技球Ａ１の動きに悪影響を与えることを効果的に防止できる。
【００５６】
（２）本実施形態のネジ挿通孔６５は、テーパ部６２〜６４，６７よりも強度の高い台板本体６１に設けられている。しかも、ネジ挿通孔６５は、第２テーパ部６３よりも肉厚であるために第２テーパ部６３よりも強度が高い第１テーパ部６２の近傍に設けられている。このため、ネジ挿通孔６５を設けることに起因した台板６０の強度低下を防止することができる。
【００５７】
（３）本実施形態では、第１テーパ部６２よりも発射経路の終端部寄りの位置に衝突防止釘３６が植設されているため、第１テーパ部６２の近傍は、第２テーパ部６３よりも遊技球Ａ１が通過する可能性が低い。そこで、本実施形態では、ネジ挿通孔６５を、遊技球Ａ１を右打ちした際に主要ルートとなる遊技球通過経路８１（特には、第２テーパ部６３や第３テーパ部６４の近傍）を避けた位置、具体的には、第１テーパ部６２の近傍に配置している。その結果、ネジ挿通孔６５に挿通されたネジによって遊技球Ａ１の動きが乱される可能性が小さくなる。また、第１テーパ部６２は、近傍に遊技球Ａ１が通過する可能性が低いことから、遊技球Ａ１が衝突して遊技球Ａ１の動きに悪影響を及ぼす可能性も低いため、第２テーパ部６３よりも急角度で肉厚なテーパ部とすることができる。ゆえに、台板６０に肉薄な第２テーパ部６３を設けたとしても、台板６０、ひいてはセンター役物５０の強度を確保することができる。
【００５８】
（４）本実施形態では、台板本体６１における第４テーパ部６７の近傍にネジ挿通孔６６が配置されているが、第４テーパ部６７は、テーパ部６２〜６４よりも遊技球通過経路８１の下流側に位置しているため、第４テーパ部６７の近傍には、テーパ部６２〜６４を通過することによって勢いが弱くなった遊技球Ａ１が通過するようになる。その結果、遊技球Ａ１がネジ挿通孔６６に挿通されたネジに衝突したとしても、遊技球Ａ１の動きが乱される可能性が小さくなる。
【００５９】
（５）本実施形態では、衝突防止釘３６の軸部の外周面と台板６０の壁部６１ｂの外周面との距離が、遊技球Ａ１の直径よりも大きくなるように設定されている。このため、遊技球Ａ１が衝突防止釘３６と壁部６１ｂとの間に進入することに起因した球詰まりを防止することができる。
【００６０】
（６）本実施形態では、台板本体６１が透光性材料（例えば、黒色に着色した透光性を有するＡＢＳ樹脂等）からなり、台板本体６１の裏面６１ａの少なくとも一部が板部材３１の開口部３１ａを臨むように配置されている。従って、板部材３１よりも後側に取り付けた可動体等からの光によって台板本体６１を照射する発光演出を行うことができるため、遊技者に対して効果的なインパクトを与えることができる。また、一般的に光るものではない台板本体６１が突然光ることにより、遊技者に意外性を与えることができる。よって、パチンコ機１０のさらなる興趣の向上を図ることができる。
【００６１】
なお、上記実施形態を以下のように変更してもよい。
【００６２】
・上記実施形態では、センター役物５０の外周部において遊技球通過経路８１の入口部分に設けられた台板６０に対して、テーパ部（第１テーパ部６２、第２テーパ部６３及び第３テーパ部６４）が形成されていた。しかし、テーパ部を他の箇所に設けてもよい。例えば、大入賞装置５２の外周部において少なくとも大入賞口経路１８１（図２参照）の終端部分１８２（図２参照）に形成された台板１６０（図２参照）に対して、上記実施形態の第１テーパ部６２と同様の第１テーパ部（図示略）と、上記実施形態の第２テーパ部６３と同様の第２テーパ部（図示略）と、上記実施形態の第３テーパ部６４と同様の第３テーパ部（図示略）とを形成してもよい。なお、大入賞口経路１８１は、複数の遊技釘３５によって構成されており、発射装置によって発射され、遊技球通過経路８１を通過した遊技球Ａ１を大入賞装置５２に導く経路である。第１テーパ部は、大入賞口経路１８１の上流側に位置し、遊技盤面１３ａに対して傾斜する第１傾斜面を有している。第２テーパ部は、第１テーパ部よりも大入賞口経路１８１の下流側に位置し、遊技盤面１３ａに対して傾斜する第２傾斜面を有している。第２テーパ部の外周縁は、大入賞口経路１８１に沿った湾曲形状をなしている。第３テーパ部は、第１テーパ部と第２テーパ部との間に位置し、遊技盤面１３ａに対して傾斜する第３傾斜面を有している。このようにした場合、遊技球Ａ１を右打ちすると、大入賞口経路１８１の終端部分１８２の台板１６０に対して、遊技球Ａ１が強い勢いで衝突する可能性がある。この場合、遊技球Ａ１が台板１６０に衝突して手前側に跳ね上げられるなどして、遊技球Ａ１の動きに悪影響を及ぼすおそれがある。そこで、大入賞口経路１８１の終端部分１８２の台板１６０に第１，第２テーパ部を設け、第２傾斜面と遊技盤面１３ａとの接続部分を、第１傾斜面と遊技盤面１３ａとの接続部分よりも緩やかに連続させている。この場合、台板１６０に衝突した遊技球Ａ１は、第２傾斜面上をスムーズに通過するようになるため、台板１６０が遊技球Ａ１の動きに悪影響を与えることを効果的に防止できる。
【００６３】
また、始動入賞装置５１の外周部において少なくとも始動入賞口経路１８３（図２参照）の終端部分に形成された台板１６１（図２参照）に対して、上記実施形態のテーパ部６２〜６４と同様の第１〜第３テーパ部（図示略）を形成してもよい。なお、始動入賞口経路１８３は、複数の遊技釘３５によって構成されており、発射装置によって発射され、遊技球通過経路８１を通過した遊技球Ａ１を始動入賞装置５１に導く経路である。
【００６４】
・上記実施形態では、台板６０に形成されたテーパ部６２，６３，６４が、遊技盤面１３ａに対して傾斜する平面である傾斜面６２ａ，６３ａ，６４ａを有していた。しかし、傾斜面６２ａ，６３ａ，６４ａは、平面に限定される訳ではなく、例えば湾曲面（凸面、凹面）等であってもよい。
【００６５】
・上記実施形態では、遊技領域３２ａに３本の衝突防止釘３６が植設されていたが、衝突防止釘３６の数は２本以下であってもよいし、４本以上であってもよい。
【００６６】
次に、前述した実施形態によって把握される技術的思想を以下に列挙する。
【００６７】
（１）上記手段１乃至５のいずれか１つにおいて、前記台板は、前記第１テーパ部と前記第２テーパ部との間に位置し、前記遊技盤面に対して傾斜する第３傾斜面を有する第３テーパ部を備え、前記第３傾斜面と前記遊技盤面との接続部分が、前記第１傾斜面と前記遊技盤面との接続部分よりも緩やかに連続するとともに、前記第２傾斜面と前記遊技盤面との接続部分よりも急になるように連続し、前記第３傾斜面は、前記第１傾斜面側から前記第２傾斜面側に行くに従って、第３テーパ部を垂直方向に切断したときに現われる斜辺の長さが徐々に長くなることを特徴とする遊技機。
【００６８】
（２）上記手段１乃至５のいずれか１つにおいて、前記板部材に前記センター役物を取り付けるための開口部が貫通形成され、前記台板本体が透光性材料からなり、前記台板本体の裏面の少なくとも一部が前記開口部を臨むように配置されていることを特徴とする遊技機。
【００６９】
（３）技術的思想（２）において、前記板部材に、前記開口部内に突出する張出部が形成され、前記台板に、ネジが挿通するネジ挿通孔が設けられ、前記ネジ挿通孔を挿通した前記ネジの先端部が前記張出部に螺着されていることを特徴とする遊技機。
【００７０】
（４）上記手段４において、前記第１テーパ部の外周縁と前記衝突防止釘の外周面との距離が、１．０ｍｍ以上５．０ｍｍ以下であることを特徴とする遊技機。
【００７１】
（５）上記手段４において、前記衝突防止釘は、前記第１テーパ部の外周縁に沿って複数配置され、隣接する前記衝突防止釘同士の間隔は、遊技球の直径よりも小さいことを特徴とする遊技機。
【００７２】
（６）上記手段１乃至４のいずれか１つにおいて、前記台板は、前記第２テーパ部の下流側に位置する第４テーパ部を備え、前記第４テーパ部は、前記第１傾斜面と同じ傾斜角度に設定された第４傾斜面を有することを特徴とする遊技機。
【００７３】
（７）遊技盤面を有する略矩形板状の板部材と、前記遊技盤面に敷設され、遊技球が流下可能な遊技領域を区画する円弧状のレールと、前記遊技盤面の遊技領域に装着されるセンター役物とを備える遊技盤が取り付けられ、前記遊技領域に、遊技球の入賞を契機として図柄変動を可能にする始動入賞装置が配設され、前記始動入賞装置の外周部に前記遊技盤面に当接する台板が形成された遊技機であって、前記遊技領域に、発射装置によって発射された遊技球を前記始動入賞装置に導く始動入賞口経路が構成され、前記台板は、前記始動入賞装置の外周部において少なくとも前記始動入賞口経路の終端部分に形成され、裏面側が前記遊技盤面に接する台板本体と、前記始動入賞口経路の上流側に位置し、前記遊技盤面に対して傾斜する第１傾斜面を有する第１テーパ部と、前記第１テーパ部よりも前記始動入賞口経路の下流側に位置し、前記遊技盤面に対して傾斜する第２傾斜面を有する第２テーパ部とを備え、前記第２傾斜面と前記遊技盤面との接続部分が、前記第１傾斜面と前記遊技盤面との接続部分よりも緩やかに連続し、前記第２テーパ部を垂直方向に切断したときに現われる斜辺の長さが前記第１テーパ部を垂直方向に切断したときに現われる斜辺の長さよりも長く設定され、前記第２テーパ部の外周縁は、前記始動入賞口経路に沿った湾曲形状をなしていることを特徴とする遊技機。
【符号の説明】
【００７４】
１０…遊技機としてのパチンコ機
１３…遊技盤
１３ａ…遊技盤面
３１…板部材
３２ａ…遊技領域
３３ａ…レールとしての内レール
３３ｂ…レールとしての外レール
３５，３５ａ…遊技釘
３６…衝突防止釘
５０…センター役物
５１…始動入賞装置
５２…大入賞装置
６０，１６０…台板
６１…台板本体
６１ａ…台板本体の裏面
６２…第１テーパ部
６２ａ…第１傾斜面
６２ｂ…第１テーパ部を垂直方向に切断したときに現われる斜辺
６３…第２テーパ部
６３ａ…第２傾斜面
６３ｂ…第２テーパ部を垂直方向に切断したときに現われる斜辺
６４…第３テーパ部
６４ａ…第３傾斜面
６５…ネジ挿通孔
８１…遊技球通過経路
１８１…大入賞口経路
１８２…大入賞口経路の終端部分
Ａ１…遊技球
【図１】
0005798522.tif 000002
【図２】
0005798522.tif 000003
【図３】
0005798522.tif 000004
【図４】
0005798522.tif 000005
【図５】
0005798522.tif 000006
【図６】
0005798522.tif 000007
【図７】
0005798522.tif 000008
【図８】
0005798522.tif 000009
【図９】
0005798522.tif 000010
【図１０】
0005798522.tif 000011